Podtech/llm-jp-corpus-v4-ja_patent huggingface dataset:
(57)【要約】【課題】  一枚の厚紙又はダンボール紙をプレスされた原型物を組立てる事によって、書類の四隅を揃える事が、寄与出来る、書類キヤッチボックスを提供する。【解決手段】プレスして作られた原型ダンボール、２の長側面を、６折り曲げ線に沿って直角に折り曲げる、３短側面を、６折り曲げ線に沿って直角に折曲げる、１０切り込み口を、２長側面の７舌片が形成されている所へ重ね合わせて７舌片折り曲げ固定する、８保持部２個を上側に折り曲げて、３短側面を補強する、９指入れ穴を合わせて指を入れる所を補強する、【選択図】図３
2012232566.tif 000002
【特許請求の範囲】
【請求項１】
一枚の厚紙に切り込み、折り曲げ線、穴あけ、舌片等をプレスされた原型物を折り込み、折り曲げの組み合わせにて、書類受け面が出来、折り込み、折り曲げの組み合わせを上側、又は下側に折り曲げる事により、左手、右手、どちらの手でも書類キヤッチボックスを持てる事が特徴とする書類キヤッチボックス。
【請求項２】
指入れ穴を施して居るので左手、右手利きの方でもしっかり持つ事が出来る特長とする請求項１記載の書類キヤッチボックス。
【発明の詳細な説明】
【技術分野】
【０００１】  この発明は書類綴りの組み合わせ、又は広告チラシの組み合わせをする為の書類キヤッチボックスに関する。
【背景技術】
【０００２】  従来  何種類かの書類を組み合わせる時、又は広告チラシを組み合わせる時、１枚１枚手に取り複数枚の書類を机の上で書類の四隅を揃えていた。
【先行技術文献】
【特許文献１】特開２００１−２２５５９１
【０００３】  また、上記の文献１では揃えたい書類の束を挟み補助具の辺を、挟んだ書類と一緒に机等に軽く叩く様にして、書類を揃える。との文面が有り、
【発明の概要】
【発明が解決しようとする課題】
【０００４】  一般的に書類を組み合わせ資料作りする時、広告チラシ等組み合わせる時、複数枚束ねて机の上で書類の四隅を揃えて居た。【０００５】  書類が机の上で揃えられたとしても、枚数が少しであれば曲がるときもあるため再度揃えなくては成らない、又下端が台の上で滑る事もあり書類を揃えるのが容易ではない。
【課題を解決するための手段】
【０００６】  この発明は、以上の問題点を解決する為、構成が単純で製造コストも抑えられて、書類の四隅を手早く揃えられる方法を特徴とする書類キヤッチボックスの提供を目的とする。【０００７】  課題を解決する為に、書類を受け止めるボックスが必要、第一案は書類（例えば日本工業規格Ａ列４判）を整えるのに書類受け面と、直角になった縦横方向の書類キヤッチボックスである。【０００８】  第二案は書類受け面に乗っている書類を書類キヤッチボックスと共に、手で少し上に傾斜することによって書類の端が綺麗に揃う事が、特徴とする書類キヤッチボックスである。【０００９】  第三案は、書類キヤッチボックスを作るのに厚紙又はダンボール紙を、一度プレスすることで原型が取れる事を特徴とする書類キヤッチボックスである。【００１０】    第四案は、プレスされた厚紙又はダンボール紙に切れ目と、折れ目が施されるのでそれに沿って組立てると書類キヤッチボックスの出来上がる事が特徴とする書類キヤッチボックスである。【００１１】  第五案は、図３、指入れ穴９を施して穴に小指又は薬指を入れて、持ちやすいのが特徴とする書類キヤッチボックスである。【００１２】  第六案は、プレスされた厚紙又はダンボール紙に切れ目と、折り曲げ線が施されている、折り曲げ線に沿って、上側に折り曲げて組立てると、左手で書類キヤッチボックスを持てることが、特徴とする書類キヤッチボックスである。【００１３】  第七案は、プレスされた厚紙又はダンボール紙に切れ目と、折り曲げ線が施されている、折り曲げ線に沿って、下側に折り曲げて組立てると、右手で書類キヤッチボックスを持てることが、特徴とする書類キヤッチボックスである。【００１４】  第八案は、一部の隅を斜めに切り取る事により書類を摘みやすいのが、特徴とする書類キヤッチボックスである。
【発明の効果】
【００１５】  第一案、第二案によれば直角になった縦横の側面に、書類の辺が接触し、ある程度書類の端が揃っているが、書類キヤッチボックスを少し上に傾斜する事により、由り綺麗に書類の四隅が揃う事が特徴とする書類キヤッチボックス。【００１６】  第三案によれば、厚紙、ダンボール紙を、一度プレスする事により  部品点数が少なく軽くて、構成が単純で、製造コストも抑えられて出来上がる、書類キヤッチボックス。【００１７】  第四案によれば、厚紙又はダンボール紙に、一度のプレスで切れ目、折り曲げ線、指入れ穴、切断もされた原型が出来上がる。【００１８】  第六案、第七案によれば、厚紙又はダンボール紙の原型、長側面と短側面を折り曲げ線に沿って、上側に折り曲げて組み合わせると左手で、書類キヤッチボックスを持つことが出来る、上記の反対、下側へ折り曲げて組み合わせると右手で書類キヤッチボックスを持つことが出来る【００１９】  第五案によれば、指を入れる穴が設けて有るので書類キヤッチボックスをしっかり持つ事が出来る。
【発明を実施するための形態】
【００２０】この発明の実施形態を、図１、に示す様に平面の厚紙又はダンボール紙にプレスし、折り曲げ線、切れ込み、穴あけ、切断をして原型を作る。
【００２１】  図２、点線の所を上側に折り曲げる、或いは、点線の所を下側に折り曲げる事によって、左手利きの方、右手利きの方、の両方で、書類キヤッチボックスを持つ事が出来る。
【００２２】  図３、組立て完了すれば穴の所に指を入れて書類キヤッチボックスを持って、１、書類受け面の所へ、書類を乗せて縦、横、側面に書類の辺が接触すると書類キヤッチボックスを少し斜め上に上げる事により、書類の四隅が一瞬に綺麗に揃う事が特徴。
【図面の簡単な説明】
【００２３】
【図１】この発明の実施形態に係る書類キヤッチボックスの原型。
【図２】書類キヤッチボックスを折り曲げる様子。
【図３】原型の組立完了を示す斜視図である。
【符号の説明】
【００２４】  １、書類受け面
２、長側面
３、短側面
４、指入れ保持部
５、ホッチキス  切り込み
６、折り曲げ線
７、舌片
８、保持板
９、指入れ穴
１０、切り込み口
【図１】
2012232566.tif 000003
【図２】
2012232566.tif 000004
【図３】
2012232566.tif 000005
(57)【要約】【課題】超音波溶着により筒体の端部を密封する場合、製造ばらつきにより、溶着部分の破れや、溶着部分の密封不完全なものが発生するおそれがないインキ補充用容器を提供する。【解決手段】合成樹脂製の有底の筒体２の内部にインキを収容し、前記筒体２の開口端部を超音波溶着により密封したシール部３を備えたインキ補充用容器であって、前記シール部３の肉厚をＡ、前記シール部３以外の筒体２の肉厚をＢとするとき、０．７５×Ｂ≦Ａ／２≦０．９×Ｂの関係を満足する。【選択図】  図２
2012232492.tif 000002
【特許請求の範囲】
【請求項１】
合成樹脂製の有底の筒体の内部にインキを収容し、前記筒体の開口端部を超音波溶着により密封したシール部を備えたインキ補充用容器であって、
前記シール部の肉厚をＡ、前記シール部以外の筒体の肉厚をＢとするとき、
０．７５×Ｂ≦Ａ／２≦０．９×Ｂ
の関係を満足することを特徴とするインキ補充用容器。
【発明の詳細な説明】
【技術分野】
【０００１】
本発明は、筆記具のインキ補充用容器に関する。
【背景技術】
【０００２】
筆記具本体内にインキを補充するためのインキ補充用容器が知られている（例えば特許文献１）。また、従来のインキ補充用容器は、合成樹脂製の筒体の内部にインキを充填した後、筒体の端部を超音波溶着により密封することも知られている。
【先行技術文献】
【特許文献】
【０００３】
【特許文献１】実開昭５２−５５３３２号公報
【発明の概要】
【発明が解決しようとする課題】
【０００４】
前記超音波溶着により筒体の端部を密封する場合、製造ばらつきにより、溶着部分が破れたり、溶着部分が完全に密封されなかったりする不具合が発生しがちである。
【０００５】
本発明は、前記従来の問題点を解決するものであって、前記超音波溶着により筒体の端部を密封する場合、製造ばらつきにより、溶着部分の破れや、溶着部分の密封不完全なものが発生するおそれがないインキ補充用容器を提供しようとするものである。
【課題を解決するための手段】
【０００６】
本願発明は、合成樹脂製の有底の筒体２の内部にインキを収容し、前記筒体２の開口端部を超音波溶着により密封したシール部３を備えたインキ補充用容器であって、
前記シール部３の肉厚をＡ、前記シール部３以外の筒体２の肉厚をＢとするとき、
０．７５×Ｂ≦Ａ／２≦０．９×Ｂ
の関係を満足することを要件とする。
【発明の効果】
【０００７】
本発明のインキ補充用容器は、製造ばらつきにより、溶着部分の破れや、溶着部分の密封不完全なものが発生するおそれがない。
【図面の簡単な説明】
【０００８】
【図１】本発明の実施の形態の超音波溶着前の筒体を示す斜視図である。
【図２】図１の超音波溶着後の筒体を示す斜視図である。
【発明を実施するための形態】
【０００９】
本発明の実施の形態を図１及び図２に示す。
本実施の形態のインキ補充用容器１は、合成樹脂製の有底の筒体２の内部にインキを収容し、前記筒体２の開口端部を超音波溶着により密封したシール部３を備える。
【００１０】
前記筒体２を構成する合成樹脂は、例えば、ポリエチレン、ポリプロピレン等が挙げられる。前記筒体２は、一端が開口され且つ他端が閉鎖された有底筒体であり、ブロー成形により得られる。前記筒体２は、略均一の肉厚を有する。前記筒体２にインキを充填した後、前記筒体２の一端開口部に超音波溶着によりシール部３が形成され、該シール部３により前記筒体２の一端開口部が密封される。
【００１１】
前記シール部３の肉厚をＡ、前記シール部３以外の筒体２の肉厚をＢ（図１では超音波溶着前の筒体の開口端の肉厚）とするとき、「０．７５×Ｂ≦Ａ／２≦０．９×Ｂ」の関係を満足する。それにより、製造ばらつきにより、溶着部分の破れや、溶着部分の密封不完全なものが発生するおそれがない。もし、前記Ａ／２が０．７５×Ｂより小さい場合、シール部３に破れが発生するおそれがある。もし、前記Ａ／２が０．９×Ｂより大きい場合、シール部３の密封が不完全となるおそれがある。
【符号の説明】
【００１２】
１  インキ補充用容器
２  筒体
３  シール部
【図１】
2012232492.tif 000003
【図２】
2012232492.tif 000004
(57)【要約】      （修正有）【課題】物品の落下を防止して物品の破損を防ぐ事ができる地震時物品落下防止棚である。【解決手段】棚の側面に穴の開いた箱２を設け、棚の周りにビニール紐３を設け、穴の開いた箱２の中に金属製のおもり４と磁石５を設けた。地震により棚が揺れると、棚の側面に取り付けた穴の開いた箱の中の上部にある金属製のおもりが落下し箱の下部に着けた磁石にくっ付く事により棚の周りのビニール紐が張り、物品の落下を防止して物品の破損を防ぐ事ができる【選択図】図３
2012232849.tif 000002
【特許請求の範囲】
【請求項１】
棚の側面（１）に穴の開いた箱（２）を設け、棚の周りに設けた紐（３）を穴の開いた箱（２）の中の上部にあるおもり（４）につなぎ、穴の開いた箱（２）の下部に磁石（５）を設けた地震時物品落下防止棚。
【発明の詳細な説明】
【技術分野】
【０００１】  この発明は、地震の揺れによって起こる、物品の落下を防止する棚である
【背景技術】
【０００２】  従来の棚は、地震の揺れが起こると、棚の物品が落下する物であった。
【先行技術文献】
【０００３】
【特許文献１】
【発明の概要】
【発明が解決しようとする課題】
【０００４】  これは、次のような欠点があった。
従来の棚では、地震の揺れが起こると、棚の物品が落下してしまい多くの物品を破損させてしまうことが多かった。
本発明は、以上のような欠点をなくすためになされたものである。
【課題を解決するための手段】
【０００５】  棚の側面（１）に穴の開いた箱（２）を設け、棚の周りにビニール紐（３）を設け、穴の開いた箱（２）の中に金属製のおもり（４）と磁石（５）を設ける。
本発明は、以上の構成によりなる地震時物品落下防止棚である。
【発明の効果】
【０００６】  地震により棚が揺れると、棚の側面（１）に取り付けた穴の開いた箱（２）の中の上部にある金属製のおもり（４）が落下し箱の下部に着けた磁石（５）にくっ付く事により棚の周りのビニール紐（３）が張り、物品の落下を防止して物品の破損を防ぐ事ができる物である。
【図面の簡単な説明】
【０００７】
【図１】  本発明のおもりの落下前の斜視図
【図２】  本発明のおもりの落下後の斜視図
【図３】  本発明の穴の開いた箱の中のおもりの落下前の矢状面の断面図
【図４】  本発明の穴の開いた箱の中のおもりの落下後の矢状面の断面図
【図５】  本発明の穴の開いた箱の中のおもりの落下後の冠状面の断面図
【発明を実施するための形態】
【０００８】  以下、本発明を実施するための形態について説明する。
棚の側面（１）に穴の開いた箱（２）を設け、棚の周りに設けたビニール紐（３）を穴の開いた箱（２）の中の上部にある金属製のおもり（４）につなぎ、穴の開いた箱（２）の下部に磁石の磁力をオン・オフできる磁石（５）を付ける。
本発明は、以上のような構造である。
これを使用するときは、棚から落下すると破損する可能性のある物品の破損防止に使うと良い。
【符号の説明】
【０００９】１  棚の側面
２  穴の開いた箱
３  ビニール紐
４  金属製のおもり（形状は円柱）
５  磁石（オン・オフの切り替え付）
６  凹型アルミサッシ
７  細いアルミ棒
８  シリコンチューブ（紐を通して６にはめる）
９  丸カンボルト
１０  ターンバックル（紐を個々に張る）
【図１】
2012232849.tif 000003
【図２】
2012232849.tif 000004
【図３】
2012232849.tif 000005
【図４】
2012232849.tif 000006
【図５】
2012232849.tif 000007
(57)【要約】      （修正有）【課題】自動車を運転する時に、ブレーキとアクセルを踏み違えて事故を起こすことを防止する自動車のアクセルとブレーキの配置表示板を提供する。【解決手段】ハンドルの中央部に、ブレーキとアクセルの配置、表面の区別刻印模様、各寸法の縮尺で刻印したものを接着剤で強固に張りつける。新車については、ハンドルの中央部に、ブレーキ、アクセルの配置図を刻印したものを取付ける。【選択図】図１
2012166771.tif 000002
【特許請求の範囲】
【請求項１】
自動車のハンドルの中央に、ブレーキとアクセルの配置図、各名称、形、表面の刻印等を施したものを強固に取付ける。自動車の運転時、ブレーキとアクセルの踏み違い防止に関する一切の範囲。
【発明の詳細な説明】
【技術分野】
【０００１】この発明は自動車のアクセルとブレーキの配置表示板に関するものである。
【発明の概要】
【発明が解決しようとする課題】
【０００４】これは次のような欠点があった
（イ）ブレーキとアクセルの設置場所、配置状況は運転者が自分の脳で記憶していて操作を行っている。老齢による記憶力の低下認知症等による一時的パニック状態が起って脳内が眞白になってブレーキとハンドルの区別がつかなくなって、ブレーキを踏むべき場合にアクセルを踏む事故を起こすことになるのである。
本発明はこのような事故を無くすためになされたものである。
【課題を解決するための手段】
【０００５】（イ）自動車の運転席のハンドルの中央部に、足元のブレーキとアクセルの配置を表示するブレーキ、アクセル配置表示板を接着剤で強固に取付ける。運転者は乗車時に、この配置板によって事前にブレーキとアクセルの取付位置を確認、練習をして自信を以って運転を開始することが出来るのである。
【発明の効果】自動車の運転は老人、女性にとって易しいものではない。判断力、決断力、記憶力が低下して、誤操作による事故を起こすことが多い。
本発明によって老人、女性も自動車運転時発進する前に、運転席ハンドル上面に設置されたブレーキ、アクセル配置表示板によってその足元の位置を確認、練習することで運転に自信がついて、安心して運転をすることが可能となるのである。
【発明を実施するための形態】
【０００８】以下、発明を実施するための最良の形態について説明する。
（イ）ブレーキ、アクセルの配置表示板は厚さ１〜３ｍｍ、幅１２ｃｍ、高さ１０ｃｍ程度で、実物のブレーキ、アクセルの縮尺寸法とし、表面に実物の滑り止め刻印に似た模様を刻印していなければならない。
（ロ）ブレーキペダルは赤色とし、アクセルは緑色の素材で製作する。
【背景技術】
【０００２】従来、自動車の運転席にはギヤチェンジの操作棒のつまみの頂部に各ギヤのステップ、バック等の堀り込みがなされてギヤチェンジの操作のガイドとなっている。
然し、アクセルとブレーキのフートレバーについては何等の表示がない。運転者は習慣的にその位置を記憶して日常の運転操作を行っている。
【図面の簡単な説明】
【０００７】
【図１】本発明のブレーキ、アクセル配置表示板の取付平面図
2012166771.tif 000003
【図２】ブレーキ、アクセル配置板の詳細図
2012166771.tif 000004
【図１】
2012166771.tif 000005
【図２】
2012166771.tif 000006
(57)【要約】【課題】通信機器を着脱可能で取り付ける機能ページ構造【解決手段】本発明は、タッチパネル式やペン式の通信機器やスマートフォンをシートに着脱可能状態で固定し、システム手帳などの１ページとして使用する状態で構成され、手帳などの１ページとして取扱できる事を目的とした通信機器を含む構成を実現するものであり、この１ページの前ページに柔軟性のある革などの材質を使用したページを付ける事で、通信機器の画面保護が行える構造である。【選択図】図１
2012166401.tif 000002
【特許請求の範囲】
【請求項１】
本発明は、スマートフォンや携帯通信機器が普及した事に伴い、これら平面画像操作の
薄型通信機器を、シート状の手帳サイズページに、直接通信機器を着脱可能な状態で固定又は通信機器専用ケースに通信機器を着脱可能な状態で固定する事により、手帳などの１ページとして通信機器を使用することを目的とする。
【請求項２】
着脱が可能なため、このシートから外す事が出来、手帳の１ページで使用する以外は、
単純に通信機器として使用できる。
【請求項３】
１ページとして構成される時は、物理的に画面操作可能な１ページとして取扱可能でシステム手帳などに１ページ装着可能な電子機能操作可能なページとなる。
【請求項４】
請求項１、２、３の構成された１ページの機能ページに前ページとして革など柔軟性のあるページを取り付けることにより通信機器のディスプレイ部分の保護が可能となる。
【請求項５】
シート状の材質が硬い物ではなく、革や柔軟質材質を使用する為、操作時に一定の束縛を受けず自由度の大きい１ページの電子通信機能ページとなり、通信機器が薄型及びフレキシブルな柔軟表示装置になるに従い、柔軟性が増す。
【発明の詳細な説明】
【技術分野】
【０００１】
本発明は、スマートフォンや携帯通信機器をシステム手帳の機能ページとして機能１ページを構成しこれを手帳に取り付けて使用する。またこの機能ページの前ページに革などのシート状のページを付けて、通信機器の画面保護を行う。
【背景技術】
【０００２】
スマートフォンや携帯通信機器は、精密度が高く、これを保護する為多くのケース類が使用されている。
【先行技術文献】
【特許文献】
【０００３】
【特許文献１】特許公開２０００−２３６１７０
【発明の概要】
【発明が解決しようとする課題】
【０００４】
スマートフォンや携帯通信機器には、次のような解決すべき課題があった。
１、表示画面にカバーが無い為、破損しやすい。
２、形状が小型薄型平面である為、堅牢性に欠け保護ケースの必要性がある。
３、会話以外の画面操作が多い為、安定した環境が必要となる。
４、タブレット機能やタッチパネル操作が多く、実務的操作が多い
【課題を解決するための手段】
【０００５】
本発明は以上の点を解決するために、次のような構成を採用する。
構成１
スマートフォンや携帯通信機器等はシステム手帳に収まる大きさが多く、システム手帳の１ページとして構成できる、ページシートを革などの堅牢で柔軟性のあるシートで作成し、このページの上にスマートフォンや携帯通信機器等をケースや部品や剥離可能テープなどで着脱可能な状態で固定する事により機能性のあるシステム手帳や手帳の１ページとして存在できる物となる。柔らかい革などで、別ページを作成し、これを機能１ページの前ページとして取り付けることで機能１ページのスマートフォンや携帯通信機器の表示画面等の保護が可能となる。
構成２
柔らかい革などで、別ページを作成し、これを機能１ページの前ページとして取り付けることで機能１ページのスマートフォンや携帯通信機器の表示画面等の保護が可能となる。
構成３
システム手帳などの取り付けに保護の為の別ページを前ページとして、次のページを機能１ページとすることで、機能ページを持つシステム手帳などが完成する。
【発明の効果】
【０００６】
本発明の機能ページには次のような効果がある。
具体例と効果
１、着脱可能な状態で止められた通信機器を含む機能パージは、システム手帳などの１ページとして機能をはたす。
２、構成される１ページ構造は、各手帳サイズの１ページ面積上に通信機器を取り付ける構造を持つもので、手帳の１ページとして取り扱える。
３、機能ページはシステム手帳などに取り付ける事で、異なる機能や性能の付加や目的別の操作が可能である。
４、機能ページの前ページに、革などの材質のページを付加することで、通信機器の表示画面の保護が行える。
【図面の簡単な説明】
【０００７】
【図１】この発明の全体構成を上面と側面から示す。
【発明を実施するための形態】
【０００８】
本発明を図1の具体例を用いて詳細に説明する。
【実施例】
【０００９】
図１は、本件の構造を示す。Aは革、ビニール、その他土台となるもので、一定の強度と柔軟性のある平面で構成されるシートを示す。Bは、このシートを物理的にシステム手帳等に止めるファイル穴である。穴以外でもAのファイルシートを１ページとして止められる穴又は構造を示す。Cは、Aシート上に固定されるケースや取り付け金具や剥離可能テープ等を示し、Fはスマートフォン、PAD、携帯電話など平面形状で構成されるタブレットや平面タッチパネルを持つ通信機器等を示す。CはFをホールド固定出来るシェルケース又は着脱可能な取り付けを経由し、Aシート状に止められる。Gは、ABCFで構成された機能ページ上の通信機器を保護する為に、前ページとして取り付けできる革などの保護ページを示す。Dは、ABCF全体の機能ページ全体を上部から見たものであり、Eは、これを側面から見たものである。
【産業上の利用可能性】
【００１０】
スマートフォンや携帯通信機器は小型薄型が多く開発されており、これを用いた機能ページを作成する事により、システム手帳の１ページとして捕らえることにより、その応用形態や利用価値は大きく広がる。またその構造上表示画面を保護する必要があり、前ページに保護用の革等の柔軟なページを設ける事で保護性を増す事が出来る。
【符号の説明】
【００１１】
A  革、ビニール、その他、堅牢で柔軟な機能ページの土台シート
B  システム手帳等に１ページとして取り付ける穴や取り付け可能加工を示す
C  スマートフォン、PAD、携帯電話をAに着脱可能で取り付け固定できる部分
D  ABCFから構成される機能ページ全体を上から見た図であることを示す
E  ABCFから構成される機能ページ全体を側面から見た図であることを示す
F  スマートフォン、PAD、携帯電話等の本体を示す
G  ABCFから構成される機能ページの表示画像部分などを保護するページシート
【図１】
2012166401.tif 000003
(57)【要約】      （修正有）【課題】ボール紙製で、周囲が直線或は凹曲線となっている天板紙（ソコ板紙）とその周囲に側面胴板紙を接着し組み合わせる変形箱の製造において、成形用木型を必要としないようにして、投資額を少なくするとともに作業スペースも少なくし、多数ロット、少ロットの製造・注文に関係なく一定価格のコストで変形箱を提供できるようにしようとするもの。【解決手段】ボール紙１製で、周囲が直線或は凹曲線となっている天板２紙（ソコ板紙）とその周囲に側面胴板３紙を組み合わせてなる変形箱において、天板紙（ソコ板紙）とこの天板紙に対応する側面胴板紙を予め切断しておき、側面胴板紙の下辺内側に極細幅の両面接着テープ４の片面を接着して接着面５を形成し、この接着面を天板紙（ソコ板紙）周囲に仮接着して変形箱本体を形成し、この仮接着部分に更に接着剤６を塗布して天板紙(ソコ板紙)と側面胴板紙を本接着するようにした変形箱の製造方法。【選択図】図１
2012166429.tif 000002
【特許請求の範囲】
【請求項１】
ボール紙製で、周囲が直線或は凹曲線となっている天板紙（ソコ板紙）とその周囲に側面胴板紙を組み合わせてなる変形箱において、天板紙(ソコ板紙)とこの天板紙に対応する側面胴板紙を予め切断しておき、側面胴板紙の下辺内側に両面接着テープの片面を接着して接着面を形成し、この接着面を天板紙（ソコ板紙）周囲に仮接着して変形箱本体を形成し、この変形箱本体の天板紙（ソコ板紙）と側面胴板紙の交差部分に接着剤を塗布して天板紙(ソコ板紙)と側面胴板紙を本接着するようにした変形箱の製造方法。
【請求項２】
ボール紙製で、周囲が直線或は凹曲線となっている天板紙（ソコ板紙）とその周囲に側面胴板紙を組み合わせてなる変形箱において、天板紙(ソコ板紙)とこの天板紙に対応する側面胴板紙の間に両面接着テープによる仮接着と接着剤による本接着を施してなる変形箱。
【発明の詳細な説明】
【技術分野】
【０００１】
本発明は、ボール紙製で、周囲が直線或は凹曲線となっている天板紙（ソコ板紙）とその周囲に側面胴板紙を接着し組み合わせる変形箱 (通称変形箱と言っている。)の製造方法及びその変形箱に関する。
【背景技術】
【０００２】
従来、平面視ハート型の変形箱を作るには、合板１９をハート型にくり抜いて木型外枠２０と木型内枠２１の「木型２４」を作り、同時に木型内枠２１に対応する形状のボール紙製の天板紙（ソコ板紙）２２とその天板紙の周囲に対応する側面胴板紙紙２３を別途作成しておく。この木型外枠２０に、その内壁面に沿って、予め作っておいたボール紙製の側面胴板紙２３の下辺部を嵌め込み、この嵌め込まれた側面胴板２３内には予め作っておいたボール紙製の天板紙２２を入れ、その上から木型内枠２１を当てて下方に押し込み、押し込み後は木型内枠２１を取り出し、側面胴板紙２３と天板紙２２の当接部を接着し、更に天板紙２２を二重以上に嵌め込む場合は前同様にして接着し、この接着が乾燥した時点で側面胴板紙２３と天板紙２２で形成された組立箱を木型外枠２０から外す。その後必要によって、側面胴板紙２３、天板紙２２の全面或は一部分に別途化粧紙を貼り付けるようにしている。尚ソコ板紙は身箱、天板紙は被せ箱に使用するものであるが、夫々寸法的な相違があるので、木型外枠２０等は二重に作っておく必要がある。
【０００３】
然しながらこの従来方法にあっては、製造数量を挙げるためには多数の成形用の木型（最低、身箱用と被せ箱用の木型が必要。）が必要となり、初期投資額が多くなる難点がある。
【発明の開示】
【発明が解決しようとする課題】
【０００４】
そこで本発明は、ボール紙製で、周囲が直線或は凹曲線となっている天板紙（ソコ板紙）とその周囲に側面胴板紙を接着し組み合わせる変形箱の製造において、成形用木型を必要としないようにして、投資額を少なくするとともに作業スペースも少なくし、多数ロット、少ロットの製造・注文に関係なく一定価格のコストで変形箱を提供できるようにしようとするものである。
【課題を解決するための手段】
【０００５】
ボール紙製で、周囲が直線或は凹曲線となっている天板紙（ソコ板紙）とその周囲に側面胴板紙を組み合わせてなる変形箱において、天板紙(ソコ板紙)とこの天板紙に対応する側面胴板紙を予め切断しておき、側面胴板紙の下辺内側に極細幅の両面接着テープの片面を接着して接着面を形成し、この接着面を天板紙（ソコ板紙）周囲に仮接着して変形箱本体を形成し、この変形箱本体の天板紙(ソコ板紙)と側面胴板紙の交差部分に接着剤を塗布して天板紙(ソコ板紙)と側面胴板紙を本接着するようにした変形箱の製造方法である。
【発明の効果】
【０００６】
本発明の効果として、成形用木型を必要としないので木型作成などの投資額が少なくなるとともに作業スペースも少なくでき、多数ロット、少ロットの製造・注文に関係なく一定価格のコストで変形箱を提供できる。
【図面の簡単な説明】
【０００７】
【図１】本発明に係る変形箱の製造方法の工程説明図。
【図２】本発明の製造方法により作成した変形箱の拡大部分断面説明図。
【図３】従来の変形箱の製造方法を示した工程説明図。
【実施例】
【０００８】
ボール紙１製で、周囲が直線或は凹曲線となっているハート型の天板紙（ソコ板紙）２とその周囲に側面胴板紙３を接着し組み合わせてなる変形箱において、天板紙(ソコ板紙)２とこの天板紙２に対応する側面胴板紙３を、キャド（CAD）（製品の形状、その他の属性データからなるモデルを、コンピュータの内部に作成し解析・処理することによって進める設計。）機構により作動する切断機又は打抜機によって予め切断しておき、側面胴板紙３の下辺内側の一部或は全部に天板紙２の厚さに対応する極細幅の両面接着テープ４の片面を接着して接着面５を形成し、この接着面５を天板紙（ソコ板紙）２の対応する周囲に仮接着して変形箱本体８を形成し、この変形箱本体８の天板紙(ソコ板紙)２と側面銅板紙３の交差部分に接着剤６を塗布して天板紙(ソコ板紙)２と側面銅板紙３を本接着することを特徴とする箱の製造方法である。天板紙（ソコ板）２を二重にするときはもう一枚の天板紙２を入れ接着する。尚側面胴板紙３の要所(例えばハート型の引込み部分と尖がり部分に対応する位置。)には図１、３に示す点線のように折り線７を入れておくとよい。又側面胴板紙３の両端は友紙等により形成した別途図示しない繋ぎ片等を接着して連結するようにするとよい。仮接着と本接着の部分が一致するのが望ましいが必ずしも一致する必要がない。
【０００９】
このようにしてできた変形箱は、図２の拡大部分断面説明図に示すように、側面胴板紙３の下辺内側と天板紙(ソコ板紙)２の周囲を両面接着テープ４を介して仮接着すると同時に、この仮接着部分に接着剤６を塗布し本接着した構造となる。仮接着の部分と本接着の部分が一致するのが望ましいが必ずしも一致する必要がない。
【符号の説明】
【００１０】
１：ボール紙
２：天板（ソコ板）
３：側面胴板
４：両面接着テープ
５：接着面
６：接着剤
７：折り線
８：変形箱本体
【図２】
2012166429.tif 000003
【図１】
2012166429.tif 000004
【図３】
2012166429.tif 000005
(57)【要約】【課題】  中高齢者の前立腺肥大症、呼吸器疾患による軽度の排尿障害など、少量の尿漏れによる、下着汚れの不快感を防止する為の男性用としては、失禁パンツぐらいしか無く、日常生活上、携帯に便利な軽量で簡単に装着できる使い捨てタイプのものは、男性用として市販されていない。【解決手段】  中高年の軽度の排尿障害者を対象とし、日常生活を快適に送れる様に、排尿後または通常の生活時に数滴から１０ｍｌぐらいまでの少量の尿漏れに対し、失禁パンツに替わり、新しく簡単に着脱できる、使い捨てタイプの男性用ちびりガードペニスキャップとして提供する事が出来る。【選択図】図２
2012166004.tif 000002
【特許請求の範囲】
【請求項１】
軽度の中高齢による排尿障害者、及び呼吸器系障害者が日常生活時、または小便後の少量の尿漏れをガードする為、男性器の形状に合わせ、吸水紙を袋状に加工し、（全長１００ｍｍ）先端亀頭部分を３０〜４０ｍｍ残し、それ以降胴部に切込みを入れ、その胴部に脱落防止用のシール付糸を付けた物と、ゴムバンドからなる男性用ちびりガードペニスキャップであって、袋状に加工した吸水紙を男性器に被せ、切込み部を重ね合わせてゴムバンドで留め、脱落防止シールを下着に貼る事で、簡単に着脱出来る事を特徴とする、使い捨てタイプの尿漏れ対策用とした。男性用ちびりガードペニスキャップ。
【発明の詳細な説明】
【技術分野】
【０００１】  本発明は中高齢者の前立腺肥大症、または呼吸器疾患等による、軽い障害のある者を対象に、数滴から〜１０ｍｌ位までの少量の尿漏れによる不快感を防止する為の、男性用ちびりガードペニスキャップに関する。
【背景技術】
【０００２】  女性用の生理用品等はシート状の使い捨てタイプの物も色々とあるが、男性用としての尿漏れ対策用品は失禁パンツ位で少ない、簡単に着脱でき少量の尿漏れに対応できる、使い捨てタイプとした。【０００３】  男性器に簡単に装着でき、数滴〜１０ｍｌまでを対象とし２ｍｌ位なら複数回使用出来る、使い捨てにする事により日常生活における利便性を追求した。
【先行技術文献】
【特許文献】
【０００４】
【特許文献１】
【非特許文献】
【０００５】
【発明の概要】
【発明が解決しようとする課題】
【０００６】  日常生活において中高齢者の７０〜８０％は、前立腺肥大症による、尿道圧迫と腹圧低下により排尿困難となり、排尿時に尿がとぎれとぎれに出る、少量しか出ないため、頻尿となるし残尿感が残る、放尿後の安堵感、または無意識にクシャミなど腹部に力が入ると数滴の尿漏れがおこる、また軽い呼吸器系疾患の持病のある者も急ぎ足、坂道、階段を上がる時など息切れがして急に尿意を催しトイレが間に合わなく漏らす事がある。【０００７】  男性用のちびり、少量の尿漏れ対策用として簡単な使い捨てタイプの物は市販されて無く、通信販売のパンツタイプで洗濯できる物はあるが、洗濯も他の洗濯物とは分けて洗う必要があり、日常生活での使用にも不便さがある。シートタイプにしてもパンツに取付けるため、取替時の煩わしさがある。【０００８】  以上、尿意を我慢する辛さ、少量の尿漏れと、ちびりによる衣服の汚れ等、嫌悪感の解消、携帯に便利なものとして実現する事を目的とするものである。
【課題を解決するための手段】
【０００９】  本発明が中高齢者の男性で程度の軽い排尿障害を持つ者の日常生活時における、少量の尿漏れ対策として、従来製品の持つ問題点を解決するために、失禁パンツタイプに替わる物として、男性器に直接装着し使い捨て出来るよう、簡素化を目的としたものである。【００１０】  上記目的を達成するため、給水紙を男性器の形状に合うように袋状に加工、亀頭部分３〜４ｃｍ残し、それ以降、胴部に切込みを入れたものと、ゴムバンドからなる男性用ちびりガードペニスキャップであって、袋状に加工した吸水紙を男性器に被せ、切込み部分を重ね合せてゴムバンドで留めることで、簡単にする事により、女性生理用の尿漏れシートと同様、携帯に適した物にした、男性用ちびりガードペニスキャップである。
【発明の効果】
【００１１】  本発明は使用時にゴムバンドで留めるため、簡単に外せ、再使用時も簡単に装着出来、取替え時期も目視または、重さでわかる。【００１３】  上述したように本発明は従来品に比べて、まったく新しいタイプとして男性器の特徴に合わせた物で、少量の尿漏れに対応し、使い捨てタイプとしても簡単に着脱でき、装着時にも慣れにより、特に違和感もなく使用できる。【００１４】  尿漏れに対しては、数滴〜２ｍｌくらいの漏れであれば数回、反復利用でき１日に３回くらい取り替えれば、衣服の汚れ、不快感も無く快適に使用できる。
【図面の簡単な説明】
【００１５】
【図１】  男性用ちびりガードペニスキャップの立体図
【図２】  男性用ちびりガードペニスキャップの装着図
【発明を実施するための形態】
【００１６】  以下、図１・図２に基づいて説明する。
【００１７】  図１、男性器に装着使用するため、吸水紙を全長１００ｍｍとし袋状に加工、先端部（亀頭）より３０ｍｍの所より切込みを入れた立体図である。
【００１８】  胴部（陰茎）の内径Ｄ１は３０ｍｍ，３８ｍｍ，４５ｍｍの３種類とする。
全長その他各サイズは仮定であり、実情に応じて変更あり。
【００１９】  図２、男性器にペニスキャップを被せ、切込み部を重ね合わせゴムバンドで留めた装着図である。
【００２０】  装着用ゴムバンド×２本、各サイズのペニスキャップ内径Ｄ１マイナス１０ｍｍ位のゴムバンドを使用。
【００２１】  なを、脱落防止用として、ペニスキャップ本体に取付けてあるシールつきの糸を、下着に貼り付け使用するものとする。
【図１】
2012166004.tif 000003
【図２】
2012166004.tif 000004
【手続補正書】
【提出日】平成23年9月15日(2011.9.15)
【手続補正１】
【補正対象書類名】特許請求の範囲
【補正対象項目名】請求項１
【補正方法】変更
【補正の内容】
【請求項１】
男性器の形状に合わせ、吸水紙を袋状に加工した全長１００ｍｍの本体と、この本体の先端部分を３０ｍｍ残してそれ以降の胴部に切込みが設けられた物であり、袋状に加工した吸水紙を男性器に被せ、切込み部を重ね合わせてゴムバンドで留める様にした、またこの本体には脱落感知用シール付き糸が取付けられている男性用ちびりガードペニスキャップ。
【手続補正２】
【補正対象書類名】明細書
【補正対象項目名】００２１
【補正方法】変更
【補正の内容】
【００２１】  なを、脱落感知用として、ペニスキャップ本体に取り付けてあるシールつき糸を、下着の腰ゴムを利用し押え下着の表側にシールを貼り付け使用するものとする。
【手続補正３】
【補正対象書類名】図面
【補正対象項目名】全図
【補正方法】変更
【補正の内容】
【図１】
2012166004.tif 000005
【図２】
2012166004.tif 000006
(57)【要約】      （修正有）【課題】本の付録の図面や型紙などの収納をするためにポケットをつける。【解決手段】本の表紙にポケットを作る。【選択図】図１
2012166534.tif 000002
【特許請求の範囲】
【請求項１】
本の表紙（表  裏）にポケットをつける。糊つけ位置が２箇所のものと３箇所のもの。
【発明の詳細な説明】
【技術分野】
【０００１】この発明は本の付録の図面や型紙などを収納できる。
【背景技術】
【０００２】従来本の付録の図面や型紙を本体と別々に収納することに不便を感じている。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・１】
本の付録の図面や型紙を本体と共に収納できる。
【課題を解決するための手段】
【・・・・２】
本に付録を収納するためのポケットをとりつける。
【発明の効果】
【・・・・３】
本  本体と付録などを一緒に収納することによって両方を探すことなく使用できる。時間と手間が省ける。
【図面の簡単な説明】
【・・・・】
【図１】
ポケットの位置と取り付け方
【図１】
2012166534.tif 000003